(57)【要約】本発明は、少なくとも７枚のプレートで組み立てられる箱形構造の６つの壁を単に嵌め合わせることによって組み上げて閉じるシステムで幾何形状を組み立てる。ここで、プレートのうちの６枚が、第１のグループ（一次プレート）に分類され、各一次プレートには１対の溝を設けられ、残りのプレートが第２のグループ（二次プレート）に分類され、二次プレートには必ずしも溝が付いていず、そして、箱形構造の壁は、２つのタイプ、すなわち１枚の一次プレートのみによって構成される単層壁と、１枚の一次プレートと少なくとも１枚の二次プレートによって構成される多層壁とに分類され、まず６枚の一次プレートを嵌め合わせ、次いで少なくとも１枚の二次プレートを挿入することで箱形構造を組み上げて閉じる。本システムは、多数の人工品を組み立てるのに適している。【選択図】図１
2013504401.tif 000002
【特許請求の範囲】
【請求項１】
他の固定具を用いずに、箱形構造をしっかりと組み上げて閉じることができるようにする嵌合式組み立てシステムであって、
剛性のシート材料からなる少なくとも７枚のプレートを含み、
その７枚のプレートのうちの６枚が、第１のグループ（すなわち一次プレート）に分類され、各一次プレートに１対の溝を設け、残りのプレートが、第２のグループ（すなわち二次プレート）に分類され、二次プレートには必ずしも溝を設けず、
箱形構造の壁が、２つのタイプ、すなわち１枚の一次プレートのみによって構成される単層壁と、１枚の一次プレートと少なくとも１枚の二次プレートによって構成される多層壁とに分類され、
６枚の一次プレートを嵌め合わせ、次いで少なくとも１枚の二次プレートを挿入することで箱形構造が組み上げられて閉じられ、箱形構造が少なくとも１つの多層壁を備える
ことを特徴とする嵌合式組み立てシステム。
【請求項２】
プレートが、木、合板、ガラス、石、金属、プラスチックを含む任意の剛性材料、またはそれらの材料の組合せからなる
請求項１に記載の嵌合式組み立てシステム。
【請求項３】
厚さを含むプレートの寸法が、任意に設計可能である（図１１、１２）
請求項１または２に記載の嵌合式組み立てシステム。
【請求項４】
プレートの輪郭を内側及び／または外側で型取りした（図１３）、例えばフレーム形状にした（図１４）
請求項１ないし３のいずれかに記載の嵌合式組み立てシステム。
【請求項５】
プレートを予め組み上げた要素で構成して、予め作製済みにすることが可能である（図１６、１７）
請求項１ないし４のいずれかに記載の嵌合式組み立てシステム。
【請求項６】
二次プレートを、同じ機能を果たす任意のデバイスによって置き換えた（図１９〜２１）
請求項１ないし５のいずれかに記載の嵌合式組み立てシステム。
【請求項７】
６枚の一次プレートがそれぞれ１対の溝を有し、各プレートにおける溝のない面のリブと他のプレートの溝とによって、一次プレートを嵌め合わせることが可能である（図８）
請求項１ないし６のいずれかに記載の嵌合式組み立てシステム。
【請求項８】
溝のある面と溝のない面のリブとが、構造の要素をしっかりと嵌め合わせるのに十分に大きな区域を確保されるという条件の下で、一次プレートを型取りした（図１３）
請求項１ないし７のいずれかに記載の嵌合式組み立てシステム。
【請求項９】
一次プレートが、溝に対して直交する方向にも延びている（図１５）
請求項１ないし８のいずれかに記載の嵌合式組み立てシステム。
【請求項１０】
少なくとも１枚の二次プレート（図９）または同じ機能を果たす任意の他のデバイス（図１９〜２１）を、それを受け取る溝の余っている隙間に挿入することで、箱形構造を閉じる（図３５）
請求項１ないし９のいずれかに記載の嵌合式組み立てシステム。
【請求項１１】
二次プレートが、溝付きの形状を有し、一次プレートと同じ形状を取る
請求項１ないし１０のいずれかに記載の嵌合式組み立てシステム。
【請求項１２】
溝が、嵌合のために構成され、６枚の一次プレートそれぞれの２つの向かい合う辺の縁部に（平行な直線の対として）位置される（図８）
請求項１ないし１１のいずれかに記載の嵌合式組み立てシステム。
【請求項１３】
溝が不連続及び／または最小の量である（図１０（ａ））
請求項１ないし１２のいずれかに記載の嵌合式組み立てシステム。
【請求項１４】
溝の幅が、溝が受け取る単層壁または多層壁の厚さに等しい（図２２、２３）
請求項１ないし１３のいずれかに記載の嵌合式組み立てシステム。
【請求項１５】
溝の深さ（Ｄ）が、溝が受け取る二次プレートの厚さ（Ｔ）以下である（図２４）
請求項１ないし１４のいずれかに記載の嵌合式組み立てシステム。
【請求項１６】
プレートの溝と同じ機能を果たすことができる任意のデバイスを溝の代わりに使用する（図２５）
請求項１ないし１５のいずれかに記載の嵌合式組み立てシステム。
【請求項１７】
６枚の一次プレートにそれぞれ１対の屈曲部を設け（図２６〜２８）、各プレートにおける屈曲部のない面のリブと他のプレートの屈曲部とによってプレートを嵌め合わせることが可能である
請求項１ないし６のいずれかに記載の嵌合式組み立てシステム。
【請求項１８】
屈曲部が、６枚の一次プレートそれぞれの２つの向かい合う辺の縁部に、平行な対として位置される
請求項１ないし６及び請求項１７のいずれかに記載の嵌合式組み立てシステム。
【請求項１９】
不連続及び／または最小な量である屈曲部が直線状であり、嵌合のために構成される
請求項１ないし６及び請求項１７及び１８のいずれかに記載の嵌合式組み立てシステム。
【請求項２０】
屈曲部の深さが、屈曲部が受け取る二次プレートの厚さ以下である
請求項１ないし６及び請求項１７ないし１９のいずれかに記載の嵌合式組み立てシステム。
【請求項２１】
屈曲部間の一次プレートの内側長さ（Ｌ）が、主要な壁部分の幅（Ｗ）と、屈曲部が受け取るプレートの厚さ（Ｔ１、Ｔ２、・・・、Ｔｎ）の和に等しい（図２９）
請求項１ないし６及び請求項１７ないし２０のいずれかに記載の嵌合式組み立てシステム。
【請求項２２】
屈曲部のある面と、屈曲部のない面のリブとが、箱形構造の要素をしっかりと嵌め合わせるのに十分に大きな区域を確保されているという条件の下で、一次プレートを型取りすることが可能である
請求項１ないし６及び請求項１７ないし２１のいずれかに記載の嵌合式組み立てシステム。
【請求項２３】
プレートの屈曲部と同じ機能を果たすことができる任意のデバイスを屈曲部の代わりに使用する（図３０）
請求項１ないし６及び請求項１７ないし２２のいずれかに記載の嵌合式組み立てシステム。
【請求項２４】
少なくとも１枚の二次プレートまたは同じ機能を果たす任意の他のデバイスを、それを受け取る一次プレートと屈曲部の間の余っている隙間に挿入することによって、箱形構造を閉じる
請求項１ないし６及び請求項１７ないし２３のいずれかに記載の嵌合式組み立てシステム。
【請求項２５】
二次プレートが一次プレートに対して補完的であり、単層壁及び多層壁の厚さがすべて等しい（図１８（ａ、ｂ））
請求項１ないし１６のいずれかに記載の嵌合式組み立てシステム。
【請求項２６】
二次プレートが一次プレートに対して補助的であり、一次プレートの厚さがすべて等しく、多層壁を受け取る溝の幅が他の溝よりも広い（図１８（ｃ、ｄ））
請求項１ないし１６のいずれかに記載の嵌合式組み立てシステム。
【請求項２７】
箱形構造が、１２枚の全く同じ溝付きのプレートで組み立てた立方体であって、溝のない面どうしを合わせてプレートを２枚１組に結合させてある立方体である（図３７）
請求項１ないし１６のいずれかに記載の嵌合式組み立てシステム。
【請求項２８】
箱形構造が、それぞれ屈曲部を設けた１２枚の全く同じプレートで組み立てた立方体であり、屈曲部のない面どうしを合わせてプレートを２枚１組に結合させてあり、屈曲部の両端を、それらの深さに等しい寸法だけ短くしてある立方体である（図３８）
請求項１ないし６及び請求項１７ないし２４のいずれかに記載の嵌合式組み立てシステム。
【請求項２９】
箱形構造が積み重ね可能であり、プレートの端部を、溝の深さに等しい寸法だけ短くしてある（図３９）
請求項１ないし１６のいずれかに記載の嵌合式組み立てシステム。
【請求項３０】
フレームプレートを含む構造において、溝をプレートの内側リブにも嵌め合わせ、少なくとも２つの二次プレートを使用する（図４１）
請求項１ないし１６のいずれかに記載の嵌合式組み立てシステム。
【請求項３１】
箱形構造が、穴を設けた一次プレートと、スライド蓋になる二次プレートとを有する（図４２）
請求項１ないし１６に記載の嵌合式組み立てシステム。
【請求項３２】
箱形構造に、穴と、それに対応する閉じ蓋とを設け、穴と閉じ蓋が、２枚のプレートからなる多層壁から形成された２つの打ち抜き要素によって得られ、その要素の一方が他方よりも小さい
請求項１ないし１６のいずれかに記載の嵌合式組み立てシステム。
【請求項３３】
箱形構造が、閉じた箱形部分を越えて延びる壁を有する（図４６）
請求項１ないし１６のいずれかに記載の嵌合式組み立てシステム。
【請求項３４】
箱形構造が連接式であり、さらなる溝の対を設け、複数の二次プレートを用い、一次プレートを延ばすことによって多くの構造を継ぎ合わせる（図４７）
請求項１ないし１６のいずれかに記載の嵌合式組み立てシステム。
【請求項３５】
多層壁が、板ばね（図４４）、南京錠（図４５）、クリップ、ねじを含む完全固定デバイスを設けられた
請求項１ないし３４のいずれかに記載の嵌合式組み立てシステム。
【発明の詳細な説明】
【技術分野】
【０００１】
本発明は、多数の工業製品に適用可能な幾何形状を組み立てるための解決策に関する。
【０００２】
本発明は、構造の少なくとも１つの壁を少なくとも２枚のプレートに分割するという最低限の条件で、箱形の平行六面体を成す６枚の壁を組み上げて閉じるための嵌合式の組み立てシステムに関する。
【０００３】
実用の観点から、この組み立てシステムの融通性により、多数の人工品、さらには複雑な人工品を作製できるようになり、ほとんどの場合、そのような人工品は、単純に嵌め合わせたわずか７つの要素で組み立てられる。
【０００４】
このシステムは、複数の構造を継ぎ合わせることができるようにし、したがって、複雑な構造を組み立てるための連接継手構造とみなすこともできる。
【０００５】
また、すべて全く同じ１２枚のプレートを組み上げて立方体を構成できるようにする本発明の特別な特徴は、他の分野にも関係付けることができる。
【背景技術】
【０００６】
本発明の背景技術は、主に、上述した幾何形状を組み立てる際の問題の解決策に関する。
【０００７】
この観点での既存の技法は見当たらない。
【０００８】
また、背景技術は、複数の他の嵌合式組み立てシステムにおいて別々に提供されている要素及び技術的特徴のさらに複雑な統合に関する。
【０００９】
この場合にも、構成及び用途の多様性の面で、本発明によるシステムのような組み立てシステムに関する文献は見当たらない。
【発明の概要】
【課題を解決するための手段】
【００１０】
第１の態様によれば、本発明は、他の固定具を何も用いずに箱形構造をしっかりと組み上げて閉じることができるようにする嵌合式組み立てシステムであって、
・剛性のシート材料からなる少なくとも７枚のプレートを含み、
以下のことを特徴とする嵌合式組み立てシステムである。
・プレートのうちの６枚（一次プレートと呼ぶ）が、第１のグループに分類され、各一次プレートに１対の溝を設けられ、残りのプレート（二次プレートと呼ぶ）が第２のグループに分類され、二次プレートには必ずしも溝が付いていず、
・構造の壁が、２つのタイプ、すなわち１枚の一次プレートのみによって構成される単層壁と、１枚の一次プレートと少なくとも１枚の二次プレートによって構成される多層壁とに分類され、
・まず６枚の一次プレートを嵌め合わせ、次いで少なくとも１枚の二次プレートを挿入することで構造を組み上げて閉じ、したがって構造が少なくとも１つの多層壁を必然的に備える。
【００１１】
用語「一次」及び「二次」は、プレートを組み上げる際の順序を表す。
【００１２】
図１〜５に箱形構造の例を示す。
【００１３】
図６及び７に多層壁の例を示す。
【００１４】
図８及び９に一次プレート及び二次プレートの例を示す。
【００１５】
別の態様によれば、本発明は、少なくとも７枚のプレートを含む嵌合式組み立てシステムであって、以下のことを特徴とするシステムである。
・プレートを、木、合板、ガラス、石、金属、プラスチックなど任意の剛性材料、さらにはそれらの材料の組合せから形成することができる。
・補強リブ及び／または屈曲材料によってプレートを補強することができる（図１０（ｂ））。
・厚さを含めてプレートの寸法を自由に設計できる（図１１及び１２）。
・プレートの輪郭を内側及び／または外側で型取りすることができ（図１３）、例えばフレーム形状にすることができる（図１４）。
・後で単純に嵌め合わせるにせよ、プレートを、予め組み上げた要素で構成して、予め作製済みにすることができる（図１６及び１７）。
【００１６】
別の態様によれば、本発明は、少なくとも７枚のプレートを含む嵌合式組み立てシステムであって、以下のことを特徴とするシステムである。
・６枚の一次プレートがそれぞれ１対の溝を有し、それにより、各プレートにおける溝のない面のリブと他のプレートの溝とによって一次プレートを嵌め合わせることができる（図８）。
・溝のある面と、溝のない面のリブとが、構造の要素をしっかりと嵌め合わせるのに十分に大きな区域を確保されるという条件の下で、一次プレートを型取りすることができる（図１３）。
・一次プレートを、溝に対して直交する方向にも延ばすことができる（図１５）。
【００１７】
別の態様によれば、本発明は、少なくとも７枚のプレートを含む嵌合式組み立てシステムであって、以下のことを特徴とするシステムである。
・構造を閉じるために、少なくとも１枚の二次プレートを、それを受け取る溝の余っている隙間に挿入しなければならず、このために溝を適切なサイズにする（図３５）。
・二次プレートが、溝付きの形状を含め、一次プレートと全く同じ形状を取ることができる。
・二次プレートが、それと対を成す一次プレートに対して補完的な厚さを有することができ、すなわちそれら２枚のプレートの厚さの合計が他の壁と同じである図１８（ａ、ｂ）。
・二次プレートが、それと対を成す一次プレートに対して補助的な厚さを有することができ、すなわちそれら２枚のプレートの厚さの合計が他の壁よりも大きい。図１８（ｃ、ｄ）
【００１８】
本発明の好ましい実施形態は、二次プレートと呼ぶ１つまたは複数の要素を提供する。
【００１９】
これは限定ではなく、実際に、以下のようにしても、本発明の枠組みは変わらない。
・二次プレートを、同じ機能を果たす任意のデバイスによって置き換えることができる。
【００２０】
別の態様によれば、本発明は、少なくとも７枚のプレートを含む嵌合式組み立てシステムであって、以下のことを特徴とするシステムである。
・溝が、嵌合せのために構成され、６枚の一次プレートそれぞれの２つの向かい合う辺の縁部に（平行な直線の対として）位置される（図８）。
・また、溝が、不連続及び／または最小量でもよい（図１０（ａ））。
・溝の幅は、その溝が受け取る単層壁または多層壁の厚さに等しい。
・溝の深さ（Ｄ）は、その溝が受け取る二次プレートの厚さ（Ｔ）以下である（図２４）。
・プレートに設けた、溝と同じ機能を果たすことができる任意のデバイスを溝の代わりに使用することもできる（図２５）。
【００２１】
本発明の形態では、一次プレートは、溝によって特徴付けられる。
【００２２】
ただし、これは限定ではなく、以下の形態においても、本発明によるシステムの枠組みは変わらない。
【００２３】
別の態様によれば、本発明は、少なくとも７枚のプレートを含む嵌合式組み立てシステムであって、以下のことを特徴とするシステムである。
・６枚の一次プレートにそれぞれ１対の屈曲部が設けられ（この場合、嵌合せの機能は、片面のみに限定される）。（図２６〜２８）、それにより、各プレートにおける屈曲部のない面のリブと、他のプレートの屈曲部とによって、プレートを嵌め合わせることができる。
・屈曲部のある面と、屈曲部のない面のリブとが、構造の要素をしっかりと嵌め合わせるのに十分に大きな区域を確保されるという条件の下で、一次プレートを型取りすることができる。
・６枚の一次プレートそれぞれの２つの向かい合う辺の縁部に、平行な対として屈曲部を配置する。
・不連続及び／または最小量であるにせよ、屈曲部が直線状であり、嵌合せのために構成される。
・溝の深さは、その溝が受け取る二次プレートの厚さ以下である。
・屈曲部間の一次プレートの内側長さ（Ｌ）が、主要な壁部分の幅（Ｗ）と、屈曲部が受け取るプレートの厚さ（Ｔ１、Ｔ２、Ｔｎ）の和に等しい（図２９）。
・プレートに設けた、屈曲部と同じ機能を果たすことができる任意のデバイスを屈曲部の代わりに使用することもできる（図３０）。
・構造を閉じるために、少なくとも１枚の二次プレートを、それを受け取る一次プレートと屈曲部の間の余っている隙間に挿入しなければならず、このために溝を適切なサイズにする。
【００２４】
別の態様によれば、本発明は、少なくとも７枚のプレートを含む嵌合式組み立てシステムであって、以下のことを特徴とするシステムである。
・７枚のプレートで構成される最小の箱形構造を組み上げるための手順を図３１〜３６に示す以下のステップによって行う。
【００２５】
向かい合う一次プレートの対を、Ａ１とＡ２、Ｂ１とＢ２、及びＣ１とＣ２で示し、二次プレートをＤで示す。
・Ｃ１をＡ１及びＡ２と嵌め合わせる（図３１及び３２）。
・Ｂ１及びＢ２をＡ１及びＡ２に嵌め合わせ（矢印１）、次いでＣ１へ押し下げる（矢印２）（図３３）。
・Ｃ２をＡ１及びＡ２の溝に挿入し（矢印１）、次いでＢ１及びＢ２へ押し下げる（矢印２）（図３４）。
・ＤをＡ１及びＡ２の溝に挿入し、Ｃ２の上に滑り込ませる（図３５及び３６）。
【００２６】
本発明の最も重要な利点は以下のことである。
・本発明によるシステムは、多数の人工品を作製できるようにする。
・組み立てた人工品がしっかりと保たれる。
・用途が広く多様である。
・使用できる材料が多様であり、材料を組み合わせることもできる。
・必要な作業工程が非常に短い。
・使用する機械及び労力が最小限である。
・製造コストが非常に安い。
・梱包及び保管時のサイズが小さくなる。
・人工品の組付け／解体を単純に、かつ迅速に行うことができる。
・廃棄される原材料がかなり削減される。
【図面の簡単な説明】
【００２７】
【図１】１枚の一次プレートと１枚の二次プレートで構成された多層壁を備える最小の立方体箱形構造を示す斜視説明図
【図２】直方体形状の構造を示す斜視説明図
【図３】６枚の多層壁を備える構造を示す斜視説明図
【図４】フレーム形状の壁を備える構造を示す斜視説明図
【図５】壁を延ばした構造を示す斜視説明図
【図６】２枚のプレートで構成された多層壁を示す斜視説明図
【図７】３枚のプレートで構成された多層壁を示す斜視説明図
【図８】一次プレートの張出部（ａ）、溝（ｂ）、リブ（ｃ）を示す斜視説明図
【図９】最も単純な形状での二次プレートを示す斜視説明図
【図１０】溝（ａ）及び補強屈曲部（ｂ）の一部を示す斜視説明図
【図１１】厚さ方向で型取りした二次プレートを示す斜視説明図
【図１２】張出部が張り出すことで形成された空間を埋めるように段差のある厚さを有する二次プレートを示す斜視説明図
【図１３】溝（ｃ、ｇ）の一部と、内側での輪郭の型取り（ｄ、ｅ）及び外側での輪郭の型取り（ｆ、ｈ、ｌ、ｎ）と、リブの一部（ｉ、ｍ）とを示す斜視説明図
【図１４】フレームプレートの内側リブ（ａ）及び外側リブ（ｂ）を示す斜視説明図
【図１５】溝を越えて延びたプレートを示す斜視説明図
【図１６】予め作製済みのプレートを示す斜視説明図
【図１７】フレーム形状の予め作製済みのプレートを示す斜視説明図
【図１８】すべての壁の厚さが同じである補完的プレート（ａ、ｂ）と、多層壁の厚さの合計が他の壁よりも大きい補助的プレート（ｃ、ｄ）とを示す斜視説明図
【図１９】二次プレートの代替要素と、変形した一次プレート（ｅ）との例を示す斜視説明図
【図２０】二次プレートの代替要素と、一次プレート（ｆ）の変形された溝との例を示す斜視説明図
【図２１】２つの板ばね（ｇ）を備える二次プレートの代替デバイスの例を示す斜視説明図
【図２２】受け取らなければならない壁の厚さに等しい溝の幅を示す説明図
【図２３】受け取らなければならない壁の厚さに等しい溝の幅を示す説明図
【図２４】二次プレートの厚さ（Ｔ）に等しい溝の深さ（Ｄ）を示す説明図
【図２５】溝の代替デバイスの例を示す斜視説明図
【図２６】屈曲部を備える一次プレートを示す斜視説明図
【図２７】屈曲部を設けた予め作製済みのプレートを示す斜視説明図
【図２８】屈曲部を設けた予め作製済みのフレームプレートを示す斜視説明図
【図２９】屈曲部を設けた一次プレートの内側長さ（Ｌ）＝（Ｗ＋Ｔ１＋Ｔ２＋Ｔｎ）を示す斜視説明図
【図３０】屈曲部の代替デバイスの例を示す斜視説明図
【図３１】構造を組み上げる手順を示す斜視説明図
【図３２】構造を組み上げる手順を示す斜視説明図
【図３３】構造を組み上げる手順を示す斜視説明図
【図３４】構造を組み上げる手順を示す斜視説明図
【図３５】構造を組み上げる手順を示す斜視説明図
【図３６】構造を組み上げる手順を示す斜視説明図
【図３７】１２枚の同一の溝付きのプレートで組み立てた立体構造を示す斜視説明図
【図３８】縁部を切り落とした屈曲部を設けた１２枚の同一のプレートで組み立てた立体構造を示す斜視説明図
【図３９】縁部を切り落とした張出部を備える積み重ね可能な構造を示す斜視説明図
【図４０】プレート（ｃ）とガラス二次プレート（ｂ）の両方と同じ１枚のシートを切り分けることによって得られたプレート（ｄ、ｅ、ｆ）で組み立てた小さなテーブルを示す斜視説明図
【図４１】２つの二次プレートを使用して内側リブと外側リブの両方と嵌め合わせたプレートで組み立てた書庫モジュールを示す図であって、解体したプレートと、平行六面体（ｇ）を成すように積み重ねたプレート（ｈ、ｉ、ｌ、ｍ）とを示す斜視説明図
【図４２】一次プレートにある穴と、スライド蓋となる二次プレートとを備える箱を示す斜視説明図
【図４３】穴の開いた１つの多層壁と、２枚のプレートからなる多層壁に穴を開けることによって打ち抜かれた打ち抜き要素から得られる閉じ蓋とを備える箱を示す斜視説明図
【図４４】固定デバイスの一例、すなわちピン（ｂ）によって箱を開けることができるようにする（隠された）板ばね（ａ）を示す斜視説明図
【図４５】固定デバイスの一例、すなわち従来の南京錠を示す説明図
【図４６】構造の壁を延ばして組み立てた肘掛け椅子を示す斜視説明図
【図４７】一次プレートを延ばすことによって継ぎ合わせた複数の構造によって構成した複雑な構造を示す斜視説明図
【発明を実施するための形態】
【００２８】
７枚のプレートで組み立てられる一般的な最小構造が、多くの種類の箱及び多数の人工品を構成するのに適している。
【００２９】
本発明に従って可能な構成のうち、以下のものが好ましい。
【００３０】
・二次プレートが一次プレートに対して補完的である構造。すなわち、すべての単層壁及び多層壁の厚さが等しく、すべての溝の幅が等しい（図１８（ａ、ｂ））。
【００３１】
この解決策には、見た目が良いという特徴がある。
【００３２】
・二次プレートが一次プレートに対して補助的である構造。すなわち、すべての一次プレートの厚さが等しく、多層壁が単層壁よりも厚く、多層壁を受け取る溝の幅が他の溝よりも広い（図１８（ｃ、ｄ））。
【００３３】
この実用的な解決策は、小さなテーブルやカートなどに適しており、二次プレートはガラス棚である（図４０）。
【００３４】
・１２枚の全く同じ溝付きのプレートで組み立てた立体構造であって、溝のない面どうしを合わせてプレートを２枚１組に結合させた立体構造（図３７）。
【００３５】
この構成は立体パズルに適している。
【００３６】
・屈曲部を設けた１２枚の全く同じプレートで組み立てた立体構造であって、屈曲部のない面どうしを合わせてプレートを２枚１組に結合させてあり、屈曲部の両端を、それらの深さに等しい寸法だけ短くしてある立体構造（図３８）。
【００３７】
この構成もパズルに適している。
【００３８】
・溝の深さに等しい寸法だけプレートの端部を短くしてある積み重ね可能な構造（図３９）。
【００３９】
この構成は、複数の構造の積み重ねを可能にする。
【００４０】
・フレームプレートを含み、溝をプレートの内側リブにも嵌め合わせ、少なくとも２枚の二次プレートを使用する構造（図４１）。
【００４１】
この形態は、カート、陳列棚、本棚などに適している。
【００４２】
・穴を設けた一次プレートと、スライド蓋になる二次プレートとを有する構造（図４２）。
【００４３】
これは、箱のための実用的な解決策である。
【００４４】
・穴と閉じ蓋を有する構造であって、穴と閉じ蓋が、２枚のプレートからなる多層壁から形成された２つの打ち抜き要素によって得られ、それらの要素の一方が他方よりも小さい構造（図４３）。
【００４５】
これもまた、箱のための実用的な解決策である。
【００４６】
・板ばね（図４４）、南京錠（図４５）、クリップ、ねじなど、完全固定デバイスを設けられた多層壁。
【００４７】
これらは有用な補完手段である。
【００４８】
・閉じた箱形部分を越えて壁が延びた連接構造（図４６）。
【００４９】
この構成は、椅子や肘掛け椅子などを作製するのに適している。
【００５０】
・さらなる溝の対を設け、複数の二次プレートを採用し、一次プレートを延ばすことによって継ぎ合わせた多くの構造によって構成される複合連接構造（図４７）。
【００５１】
この構成は、複雑な構造を組み立てるのに適している。
【産業上の利用可能性】
【００５２】
本発明によるシステムによって組み立てることができる以下に列挙する工業製品及びそれらのほとんどの部品は、単純に嵌め合わせたわずか７つの要素からなる。
【００５３】
任意のタイプの箱。ケース。投票箱。パズル。タンク。コンテナ。水槽。犬小屋。鳥かご。プレハブハウス。木、プラスチック、金属、ガラス、コンクリート、石からなる構造。モジュール式の壁。土台。足場。本箱。陳列棚。陳列台。テーブル。小さなテーブル。カート。旅行かばん。椅子。長椅子。ベンチ。ランプ。クローゼット。飾り棚。
【００５４】
さらに、合板を使用する場合、本発明は、パンタグラフのみを採用して実施することができ、これにより完成品を得ることができる。
【００５５】
この場合、１枚のシート材料を切り分けて複数の部片にすることで、同じ人工品の全てのプレートを得ることができる。
【図１】
2013504401.tif 000003
【図２】
2013504401.tif 000004
【図３】
2013504401.tif 000005
【図４】
2013504401.tif 000006
【図５】
2013504401.tif 000007
【図６】
2013504401.tif 000008
【図７】
2013504401.tif 000009
【図８】
2013504401.tif 000010
【図９】
2013504401.tif 000011
【図１０】
2013504401.tif 000012
【図１１】
2013504401.tif 000013
【図１２】
2013504401.tif 000014
【図１３】
2013504401.tif 000015
【図１４】
2013504401.tif 000016
【図１５】
2013504401.tif 000017
【図１６】
2013504401.tif 000018
【図１７】
2013504401.tif 000019
【図１８】
2013504401.tif 000020
【図１９】
2013504401.tif 000021
【図２０】
2013504401.tif 000022
【図２１】
2013504401.tif 000023
【図２２】
2013504401.tif 000024
【図２３】
2013504401.tif 000025
【図２４】
2013504401.tif 000026
【図２５】
2013504401.tif 000027
【図２６】
2013504401.tif 000028
【図２７】
2013504401.tif 000029
【図２８】
2013504401.tif 000030
【図２９】
2013504401.tif 000031
【図３０】
2013504401.tif 000032
【図３１】
2013504401.tif 000033
【図３２】
2013504401.tif 000034
【図３３】
2013504401.tif 000035
【図３４】
2013504401.tif 000036
【図３５】
2013504401.tif 000037
【図３６】
2013504401.tif 000038
【図３７】
2013504401.tif 000039
【図３８】
2013504401.tif 000040
【図３９】
2013504401.tif 000041
【図４０】
2013504401.tif 000042
【図４１】
2013504401.tif 000043
【図４２】
2013504401.tif 000044
【図４３】
2013504401.tif 000045
【図４４】
2013504401.tif 000046
【図４５】
2013504401.tif 000047
【図４６】
2013504401.tif 000048
【図４７】
2013504401.tif 000049
【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
箱形構造を組み上げて閉じることができるようにする嵌合式組み立てシステムであって、剛性のシート材料から形成された少なくとも７枚のプレートを備える嵌合式組み立てシステムにおいて、
その少なくとも７枚のプレートが、１対の対向する溝または屈曲部をそれぞれ設けられた６枚のプレート（一次プレート）からなる第１のグループ（一次グループ）と、少なくとも７枚のプレートから第１のグループの６枚のプレートを引いた残りのプレート（二次プレート）からなる第２のグループ（二次グループ）とに分類され、
二次グループの二次プレートは溝または屈曲部を設けられていても設けられていなくてもよく、
箱形構造が、一次グループのプレートのうちの１枚のプレートのみからなる壁（単層壁）と、一次グループのプレートのうちの１枚のプレートと、二次グループのプレートのうちの少なくとも１枚のプレートとからなる壁（多層壁）とを有し、箱形構造の壁の少なくとも１つが多層壁であり、
一次グループの６枚のプレートを組み立て、次いで二次グループの少なくとも１枚のプレートを組み立てることによって、箱形構造を組み上げる
ことを特徴とする嵌合式組み立てシステム。
【請求項２】
プレートが、木、合板、ガラス、石、金属、プラスチック、及びそれらの任意の組合せの剛性材料からなる
請求項１に記載の嵌合式組み立てシステム。
【請求項３】
一次グループのプレートそれぞれの溝または屈曲部が、そのプレートの辺に沿って連続的または断続的である
請求項１または２に記載の嵌合式組み立てシステム。
【請求項４】
二次グループのプレートがそれぞれ、１対の対向する溝を設けられ、その溝が、プレートの辺に沿って連続的または断続的である
請求項１ないし３のいずれかに記載の嵌合式組み立てシステム。
【請求項５】
一次グループのプレートの溝または屈曲部がそれぞれ、一次グループのプレートのうちの１枚のプレートの１つの縁部を受け取ることができ、一次グループのプレートの溝または屈曲部の少なくとも１つが、二次グループの少なくとも１つのプレートの少なくとも１つの縁部をさらに受け取ることができる
請求項１ないし４のいずれかに記載の嵌合式組み立てシステム。
【請求項６】
多層壁を受け取る溝または屈曲部の幅が、他の溝または屈曲部よりも広い
請求項５に記載の嵌合式組み立てシステム。
【請求項７】
一次グループのプレートそれぞれの溝の幅が、溝が受け取る壁の厚さに等しい
請求項１ないし５のいずれかに記載の嵌合式組み立てシステム。
【請求項８】
一次グループのプレートの１対の屈曲部間の距離（Ｌ）が、プレートの縁部に垂直な壁の幅（Ｗ）と、プレートの屈曲部に垂直に受け取られる対向する壁の厚さとの和に等しい
請求項１ないし６のいずれかに記載の嵌合式組み立てシステム。
【請求項９】
プレートが、溝に対して直交する方向にも延びている
請求項１ないし７のいずれかに記載の嵌合式組み立てシステム。
【請求項１０】
二次グループのプレートが、スティック形状またはロッド形状である
請求項１ないし９のいずれかに記載の嵌合式組み立てシステム。
【請求項１１】
一次グループのプレートがさらなる溝の対を備える
請求項１ないし１０のいずれかに記載の嵌合式組み立てシステム。
【請求項１２】
多層壁が、板ばね、南京錠、クリップ、ねじを含む固定手段を備える
請求項１ないし１１のいずれかに記載の嵌合式組み立てシステム。
【請求項１３】
プレートが、３次元の任意の次元で外側及び／または内側で形作られる
請求項１ないし１２のいずれかに記載の嵌合式組み立てシステム。
【請求項１４】
フレーム形状のプレートが、それぞれの内側面の縁部で、他のプレートの溝または屈曲部を受け取る
請求項１ないし１３のいずれかに記載の嵌合式組み立てシステム。
【請求項１５】
請求項１ないし１４のいずれかに記載の嵌合式組み立てシステムを用いて箱形構造を組み上げる方法であって、
一次グループの６枚のプレートそれぞれの溝または屈曲部を一次グループの残りのプレートの縁部と結合させるステップと、
一次グループのプレートの溝または屈曲部の１つに、二次グループの少なくとも１つのプレートを挿入するステップと、を有する
ことを特徴とする方法。
【請求項１６】
６枚の一次プレートと少なくとも１枚の二次プレートとを備える箱形構造であって、
６枚のプレートがそれぞれ、１対の対向する溝または屈曲部を設けられ、
一次プレートの溝または屈曲部がそれぞれ、一次プレートの１つの縁部を受け取ることができ、
一次プレートの少なくとも１つの溝または屈曲部が、二次プレートの少なくとも１つの縁部をさらに受け取ることができる
ことを特徴とする箱形構造。
【国際調査報告】
2013504401.tif 000050
2013504401.tif 000051